(57)【要約】 【課題】  シールド電線への保持力を高め、かつ短絡を回避することが可能なバレル部の構造を提供する。【解決手段】  端子金具２０のバレル部２７のバレル片２７Ａの後端縁には、複数のカシメ片２７Ｂが一定の間隔をおいて配置されている。シールド電線１０のうち外部シース１４の外側に折り返されたシールド層１３を覆うようにバレル片２７Ａをかしめ、さらに複数のカシメ片２７Ｂをシールド電線１０の外部シース１４に食い込ませるようにかしめる。【選択図】  図３
2006244816.tif 000002
【特許請求の範囲】
【請求項１】
芯線の外周側には内部絶縁層、シールド層、外部シースが順に積層されてなるシールド電線に対し、前記シールド層が前記外部シースから露出されている部分を、端子金具の後端部に配されたバレル部にてかしめつけることによってシールド電線の端末に端子金具を取り付けるための構造であって、
前記バレル部は前記シールド層の露出部分を周方向から巻回可能なバレル片を有するとともに、同バレル片の後端縁にはその先端縁部が前記外部シースへかしめられるカシメ片が後方へ向けて延出形成されていることを特徴とするシールド電線に対する端子金具の取り付け構造。
【請求項２】
前記内部絶縁層上に露出されたシールド層は、前記外部シース上に反転され、前記バレル片はこの反転部分をかしめ付け、前記カシメ片は前記外部シースにおけるシールド層の反転部分後方をかしめることを特徴とする請求項１記載のシールド電線に対する端子金具の取り付け構造。
【請求項３】
前記カシメ片は前記バレル片後端に複数個が配され、前記外部シースに対するかしめ状態では前記シールド層の反転された先端縁部周りが覆われることを特徴とする請求項２記載のシールド電線に対する端子金具の取り付け構造。
【発明の詳細な説明】
【技術分野】
【０００１】
本発明は、シールド電線の端末への端子金具の取り付け構造に関する。
【背景技術】
【０００２】
従来より、シールドコネクタとして下記特許文献１のものが知られている。このコネクタハウジングの内部にはシールド電線の端末に接続された端子金具が収容されているが、電線端末と端子金具との接続構造は図４に示すようにしてなされるのが通常であった。
【０００３】
すなわち、端子金具１の後端部には、シールド電線２をかしめるためのバレル部３が設けられている。一方、シールド電線２の端末は外部シース５上に編組線４（シールド層）を反転させてあり、上記したバレル部３にてこの編組線４の反転部分をかしめ付けることによって端子金具１に対する接続が行われていた。
【特許文献１】特開平７−２６３０８２号公報
【発明の開示】
【発明が解決しようとする課題】
【０００４】
しかし、上記のもののように、編組線４上をかしめるものでは、編組線４のクッション性により、かしめ力が必ずしも十分に伝わらない、という点が懸念される。さりとて、バレル部３の先端を電線外面に突き立てて食い込むようにする方法では、編組線４、外部シース５を突き破って芯線とショートさせてしまう虞があるため、採用できない。また、上記のものでは編組線４上における一カ所のかしめでもって端子金具１の取り付けを行っていたが、さらに外部シース５上でのかしめを付加する、つまり二カ所のかしめによることも考えられる。しかし、そのような方法は端子金具１自体を大型化させてしまうため、得策でない。このようなことから、従来は編組線４を外部シース５上に反転させてここでかしめを行うようにしていたのであるが、このような構造では上記のようなかしめ力の増強の問題に加え、次の点も課題として指摘されていた。それは、編組線４がバレル部３からはみ出す部分を生じるためショートが懸念される、という点である。
【０００５】
本発明は、上記事情に鑑みてなされたもので、シールド電線への保持力を高めることができる端子金具の取り付け構造の提供を目的とする。
【課題を解決するための手段】
【０００６】
上記の目的を達成するための手段として、請求項１の発明は、芯線の外周側には内部絶縁層、シールド層、外部シースが順に積層されてなるシールド電線に対し、前記シールド層が前記外部シースから露出されている部分を、端子金具の後端部に配されたバレル部にてかしめつけることによってシールド電線の端末に端子金具を取り付けるための構造であって、前記バレル部は前記シールド層の露出部分を周方向から巻回可能なバレル片を有するとともに、同バレル片の後端縁にはその先端縁部が前記外部シースへかしめられるカシメ片が後方へ向けて延出形成されている構成としたところに特徴を有する。
【０００７】
また、請求項２の発明は、請求項１記載のものにおいて、内部絶縁層上に露出されたシールド層は、前記外部シース上に反転され、前記バレル片はこの反転部分をかしめ付け、前記カシメ片は前記外部シースにおけるシールド層の反転部分後方をかしめることを特徴とする。
【０００８】
さらに、請求項３の発明は、請求項２記載のものにおいて、カシメ片は前記バレル片後端に複数個が配され、前記外部シースに対するかしめ状態では前記シールド層の反転された先端縁部周りが覆われることを特徴とする。
【発明の効果】
【０００９】
請求項１の発明によれば、端子金具はバレル部のバレル片をシールド層に対してかしめ付けると、これと共にカシメ片の先端が外部シースをかしめるため、かしめ状況が強化される。
【００１０】
請求項２の発明によれば、バレル片はシールド層の反転部分にてカシメられるため、反転させることなくかしめを行う場合に比べて、端子金具を小型化することができる（反転させない場合には、内部絶縁層上でカシメを行うことになるが、内部絶縁層がかしめに必要な長さ寸法を確保しなければならなくなる。）。
【００１１】
請求項３の発明によれば、カシメ片が周方向に複数個配され、これらがシールド層における反転部分の先端部周りを覆うため、ショートを未然に回避することができる。
【発明を実施するための最良の形態】
【００１２】
以下、本発明のバレル部の構造を適用した端子金具に関する実施形態を図１〜３に基づいて説明する。
【００１３】
シールド電線１０は、図１及び図２に示すように、複数本の素線を束ねてなる芯線１１を内部絶縁層１２で覆い、その外側を編組線よりなるシールド層１３で覆い、さらにその外側を外部シース１４で覆った構造となっている。そして、シールド電線１０の端末部では、露出されたシールド層１３が外部シース１４の外側に折り返されると共に、そのシールド層１３の折り返し部分より先に内部絶縁層１２が露出され、さらにその先端から芯線１１が露出されて延びている。
【００１４】
端子金具２０は、シールド層１３に接続される外側端子２１と、芯線１１に接続される内側端子３０と、これら内外の端子２１，３０間に介在される樹脂製の誘電体４０とからなっている。内側端子３０は先端に図示しない相手端子金具と接続可能なタブ部３１を備えるとともに、その後端部には芯線１１に対してかしめられる芯線接続部３２が形成されている。また、タブ部３１と芯線接続部３２との間には、内側端子３０を誘電体４０へ挿入したときに、誘電体４０の収容孔４１内の上壁に食い込むことにより、内側端子３０を固定する食い込み突起３３が配されている。
【００１５】
誘電体４０は、内側端子３０と外側端子２１とを電気的に絶縁するためのものであり、その内部には内側端子３０を収容するための収容孔４１が形成されている。また、外側端子２１への固定のために、上部には係止凹部４２が、底部には当接部４３がそれぞれ設けられている。
【００１６】
外側端子２１は、前部に角筒状の収容部２２が設けられ、かつその天井面には誘電体４０に係止するランス２３が内方へ斜めに切り起こしによって形成され、誘電体４０の係止凹部４２に対し弾性的に係止可能である。またも図２に示すように、底面には突き当て片２４が内方への切り起こしによって形成されていて、誘電体４０の当接部４３に当接可能である。さらに、収容部２２の左右両側面には図示しない相手側端子と弾性的に接触する接触片２５が形成されている。さらにまた、収容部の直後の上縁には幅方向外方へ一対のスタビライザ２６，２６が張り出し形成されており、端子金具２０を図示しないコネクタハウジングへ挿入する際の案内を行う。そして、その後方にはシールド電線１０への接続を行うためのバレル部２７が連続している。
【００１７】
バレル部２７はその前端中央において収容部２２側の後端部と連結片２８を介して連設され、バレル片２７Ａとこのバレル片２７Ａの後端縁に突設された複数のカシメ片２７Ｂとからなっている。そして、この連結片２８から幅方向へほぼ同一長さ寸法延出し、シールド電線１０との接続前の状態では上方へ開放した、全体略Ｕ字状をなしている。この実施形態においては、バレル片２７Ａはシールド電線１０に対するかしめがなされるときには、両バレル片２７Ａの先端が所定長さ範囲だけ重なり合う、いわゆるオーバーラップ圧着によるかしめがなされる。また、この実施形態においては、シールド電線１０に外側端子２１を圧着したときには、両バレル片２７Ａの後端縁がシールド層１３の後端縁にほぼ揃うような位置関係となるように設定されている。
【００１８】
さらに、両バレル片２７Ａの後端縁には等ピッチ間隔毎に複数のカシメ片２７Ｂが後方へ向けて突出している。各カシメ片２７Ｂはバレル片２７Ａがシールド層１３をかしめたときに、外部シース１４の外周面のほぼ全周範囲に亘るようにして配され、それぞれの先端が外部シース１４に対し食い込み気味にしてかしめられるようになっている。
【００１９】
なお、両バレル片２７Ａの先端の外周面側にはテーパー面２７Ｃによる面取りがなされている。
【００２０】
次に、本実施形態の作用について説明する。シールド電線１０の端末部に端子金具２０を取り付けるためには、まず、シールド電線１０の端部の外部シース１４を剥がしてシールド層１３を剥き出しにし、そのシールド層１３を外部シース１４上に反転させておく。また、シールド電線１０の内部絶縁層１２を剥がして芯線１１を露出させ、ここに内側端子３０の芯線接続部３２をかしめによって圧着しておく。
【００２１】
その一方で、外側端子２１の収容部２２の前方より誘電体４０を挿入する。すると、突き当て片２４に当接部４３が当接するとともに、ランス３４が係止凹部４２に挿入されるため、誘電体４０が収容部２２内に位置決めされる。その後、シールド電線１０に接続された内側端子３０を誘電体４０の収容孔４１に挿通すると、食い込み突起３３が収容孔４１の天井面に食い込んで固定がなされる。
【００２２】
次に、外側端子２１のバレル部２７の底面にシールド電線１０におけるシールド層１３の反転部分を載せる。この状態で、全体を図示しない圧着機に仕掛ける。そして、両バレル片２７Ａがシールド層１３の外周面に沿うようにしてオーバーラップ圧着を行う。そのときには、各カシメ片２７Ｂもそれぞれの先端が外部シース１４上にやや食い込むようにして圧着する。
【００２３】
かくして、本実施形態ではバレル片２７Ａがシールド層１３の反転部分を圧着し、さらに各カシメ片２７Ｂが外部シース１４を圧着するため、シールド電線１０に対する端子金具２０の保持力は従来に比較して確実に向上している。特に、各カシメ片２７Ｂはシールド電線１０の延び方向へ突出し、電線１０の引っ張りに抗する方向で外部シース１４に引っ掛かるため、抜け防止に有効である。さらに、この実施形態ではシールド電線１０に端子金具２０を圧着した状態では、バレル片２７Ａの後端縁がシールド層１３の反転部分の後端縁とほぼ揃うように設定されているから、シールド層１３はバレル片２７Ａによって覆われた状態にあるが、仮に位置ずれを生じてバレル片２７Ａの後端縁からシールド層１３がはみ出すようなことがあったとしても、各かしめ片２７Ｂによってはみ出し部分を覆うことができるため、ショートの問題は確実に回避される。
【００２４】
このように本実施形態によれば、バレル部２７に複数のかしめ片２７Ｂを設けたことにより、バレル部２６（端子金具２０）とシールド電線１０との導通接続を確実に行うことができるとともに、複数のかしめ片２７Ｂによりはみ出したシールド層１３を覆うことが可能であるから、短絡を回避することができる。
【００２５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２６】
（１）上記実施形態では、シールド層１３を反転させた位置でバレル部２７の圧着を行ったが、反転させることなく内部絶縁層上１２に位置させたままで圧着を行う方法であってもよい。
【００２７】
（２）この実施形態ではかしめ片２７Ｂを複数片に分割したが、周方向に連続するものであってもよく、要はシールド層１３から外部シース１４上にかけて圧着を可能にするものであればよい。
【００２８】
（３）シールド層１３に対するバレル片２７Ａの圧着の方式は必ずしもオーバーラップ圧着でなくともよい。
【００２９】
（４）本発明は雄の端子金具に適用した例を示したが、雌の端子金具にも適用可能であるのは勿論である。
【００３０】
（５）シールド層１３は編組線に限定されるべきものではなく、シールド機能が発揮されるものであれば、その形態は問わない。
【図面の簡単な説明】
【００３１】
【図１】本発明の一実施形態のシールド電線および端子金具の分解斜視図
【図２】同じくシールド電線と端子金具とを接続させた場合の縦断面図
【図３】同じくシールド電線と端子金具とを接続させた場合の斜視図
【図４】従来のシールド電線と端子金具とを接続させた場合の斜視図
【符号の説明】
【００３２】
１０…シールド電線
１１…芯線
１２…内部絶縁層
１３…シールド層
１４…外部シース
２０…端子金具
２１…外側端子
２７…バレル部
２７Ａ…バレル片
２７Ｂ…カシメ片
３０…内側端子
４０…誘電体
【図１】
2006244816.tif 000003
【図２】
2006244816.tif 000004
【図３】
2006244816.tif 000005
【図４】
2006244816.tif 000006